(57)【要約】【課題】商用電源を必要とせず、作業上安全な真空ポンプを提供することを目的とする。【解決手段】エアーコンディショナーの冷媒の配管等の真空引きを行う真空ポンプ１であって、ポンプ室と、ポンプ室を駆動させるモータと、当該モータに電力を供給するバッテリ１００が着脱自在に取り付けられる電池取付部６とを備え、ポンプ室の排気機構を、例えば、ステータ１１とステータ１１の内部に位置してステータ１１に当接する翼板１３を有するロータとを備える回転翼型油回転式とする。【選択図】図４
2008180098.tif 000002
【特許請求の範囲】
【請求項１】
真空引きを行う真空ポンプであって、
ポンプ室と、前記ポンプ室を駆動させる電動機と、前記電動機に電力を供給する二次電池が着脱自在に取り付けられる電池取付部とを備えることを特徴とする真空ポンプ。
【請求項２】
前記ポンプ室の排気機構は、回転翼型油回転式であることを特徴とする請求項１に記載の真空ポンプ。
【発明の詳細な説明】
【技術分野】
【０００１】
本発明は、真空ポンプに関し、詳しくは、エアーコンディショナーの冷媒の配管等の真空引きを行う真空ポンプに関するものである。
【背景技術】
【０００２】
従来、様々な真空ポンプが存在するが、それらは、例えば特許文献１や特許文献２に示されるように、電源として商用電源を用いるものであった。図７に示すように、商用電源を使用する真空ポンプ２００は、商用電源からの電力を真空ポンプ２００に供給するための電源コード２０１を備えている。また、従来、エアーコンディショナーの冷媒の配管等の真空引きを行うために設計された真空ポンプが存在する。
【特許文献１】特開２００６−２９９９６３号
【特許文献２】特開２００４−０８４５４７号
【発明の開示】
【発明が解決しようとする課題】
【０００３】
ところで、例えば、冷媒の配管の真空引きが行われるエアーコンディショナーが、新築の建物などに設置されたものである場合には、建物に商用電源が通じていないことがある。このような場合には商用電源を用いて真空ポンプを駆動して真空引きを行うことができないという問題があった。また、真空引きを行うエアーコンディショナーが一般家庭の家屋に設置されたものである場合には、家屋の住人が電気代を気にすることがあり、作業者が商用電源を使用しづらいという問題があった。さらに、商用電源を用いて真空ポンプ２００を駆動する場合には、エアーコンディショナーの取り付け作業の現場に、電源コード２０１が這うので、作業の邪魔となるという問題があった。
【０００４】
本発明は、かかる課題に鑑みてなされたものであり、商用電源を必要とせず、作業の邪魔にならない真空ポンプを提供することを目的とする。
【課題を解決するための手段】
【０００５】
上記目的を達成するために、請求項１に記載の真空ポンプは、真空引きを行う真空ポンプであって、ポンプ室と、前記ポンプ室を駆動させる電動機と、前記電動機に電力を供給する二次電池が着脱自在に取り付けられる電池取付部とを備えることを特徴としている。
【０００６】
上記構成によれば、真空引きを行う真空ポンプであって、ポンプ室と、ポンプ室を駆動させる電動機と、電動機に電力を供給する二次電池が着脱自在に取り付けられる電池取付部とを備えている。
【０００７】
したがって、電池取付部に二次電池を取り付け、当該二次電池によって電動機に電力を供給することにより、商用電源を使用することなく、真空ポンプを駆動させることができる。したがって、商用電源が通じていない場所においても、例えば、エアーコンディショナーの冷媒の配管等の真空引き作業を行うことができる。また、一般家庭において同作業を行う場合でも、商用電源の使用により電気料金がかかるという気兼ねをする必要がない。さらに、商用電源を使用するための電源コードが不要であるので、電源コードが作業現場に這うことがなく、電源コードが作業の邪魔にならない。また、二次電池は着脱自在であるため、二次電池の電力が切れた場合や、寿命がきた場合には、予備の二次電池を使用することによって作業を継続することができる。
【０００８】
請求項２に記載の真空ポンプは、請求項１に記載の真空ポンプであって、ポンプ室の排気機構が回転翼型油回転式であることを特徴としている。
【０００９】
上記構成によれば、ポンプ室の排気機構は、回転翼型油回転式である。つまり、真空ポンプは回転翼型油回転真空ポンプである。回転翼型油回転式は、大気圧から高真空領域まで有効に作動し、小型化と排気速度の高速化の両立が可能で、さらに、大気圧から作動できるポンプの中では最も効率がよい方式である。したがって、請求項１に記載の真空ポンプの小型化、作業の高速化、及び、高効率化を図ることができる。
【発明の効果】
【００１０】
請求項１に記載の真空ポンプによれば、商用電源が通じていない場所においても、エアーコンディショナーの冷媒の配管等の真空引き作業を行うことができるという効果が得られる。また、一般家庭において同作業を行う場合でも、商用電源を使うがための気兼ねをする必要がないという効果が得られる。さらに、商用電源を使用するための電源コードが不要であるので、電源コードが作業現場に這うことがなく、電源コードが作業の邪魔にならないという効果が得られる。また、二次電池は着脱自在であるため、二次電池の電力が切れた場合や、寿命がきた場合にも予備の二次電池を使用することによって作業を継続することができるという効果が得られる。
【００１１】
請求項２に記載の真空ポンプによれば、真空ポンプの小型化、作業の高速化、及び、高効率化を図ることができるという効果が得られる。
【発明を実施するための最良の形態】
【００１２】
以下、本発明の真空ポンプの実施の形態について図面を参照しつつ説明する。図１は、本発明の一例としての真空ポンプ１の様子を示す説明図である。真空ポンプ１は、例えば、オイルを利用したロータリー式の真空ポンプ（油回転真空ポンプ）である。図１に示すように、真空ポンプ１は、ポンプ室と当該ポンプ室を駆動させるモータ（電動機）（不図示）が内臓された略円柱形状の胴体部２を備えている。
【００１３】
オイルを利用したロータリー式の真空ポンプの排気の原理は公知であり、真空ポンプ１のポンプ室及びモータも公知の構成とすることができる。
【００１４】
ポンプ室は、その排気機構を、例えば、図２に示すような回転翼型油回転式とすることができる。つまり、真空ポンプ１は回転翼型油回転真空ポンプとすることができる。回転翼型油回転式は、大気圧から高真空領域まで有効に作動し、小型化と排気速度の高速化の両立が可能である。さらに、回転翼型油回転式は、大気圧から作動できるポンプの中では最も効率がよい方式である。図２に示すように、回転翼型油回転式のポンプ室１０は、吸気口１１ａと排気口１１ｂとを有するステータ１１の内部に、中心軸がステータ１１の中心軸と異なるロータ１２を備える構成となっている。ロータ１２は、２枚の翼板１３を備えている。それぞれの翼板１３は、スプリング１４によって、ロータ１２の中心から半径方向に向かって付勢され、先端部が常にステータ１１に当接するように構成されている。このようなポンプ室１０においては、図２に示すように、モータの回転に伴うロータ１２の回転によって、翼板１３がステータ１１に当接したまま慴動することにより、ステータ１１、ロータ１２、翼板１３で囲まれた空間Ａの内部に吸気された気体が圧縮される。そして、ロータ１２の回転が進むと、図３に示すように、空間Ａの内部の気体の圧縮がさらに強まり、排気口１１ｂに設けられた排気弁１５が開放されて排気口１１ｂから気体が排気される。このような排気の繰り返しにより、吸気口１１ａに接続された空間が吸気されて真空となる。
【００１５】
図１に戻り、真空ポンプ１の胴体部２の上部には、ポンプ室１０の吸気口１１ａにつながり、真空引きをするエアーコンディショナーの冷媒の配管等と連通されるホース（不図示）が接続されるホース接続管３が設けられている。また、ホース接続管３には、ホース接続管３の管に設けられたバルブを開閉するためのバルブ開閉つまみ３ａが設けられている。また、胴体部２には、その下部に真空ポンプ１を作業場の床面などに安定して据えるための台座４が設けられている。
【００１６】
さらに、胴体部２の円柱形状の長手方向（図面左方向）の一端には、ポンプ室１０の内部の部品間の気密化に使用するオイルを蓄積するためのオイルタンク５が設けられている。そして、オイルタンク５の上部には当該オイルを注入するためのオイル注入口５ａが設けられ、オイルタンク５の側面には、オイルの残量を示すオイルレベルゲージ５ｂが設けられている。
【００１７】
そして、胴体部２の円柱形状の長手方向（図面右方向）の他端には、ポンプ室１０を駆動するモータに電力を供給するためのバッテリ（二次電池）が着脱自在に取り付けられる電池取付部６が設けられている。また、胴体部２の上部には、胴体部２の長手方向の一端から電池取付部６にかけて延びる棒形状に形成された、把持部７が設けられている。この把持部７は、真空ポンプ１を持ち運ぶ際に、運搬人の手で把持される。
【００１８】
このような真空ポンプ１は、商用電源を必要とせず、電池取付部６に取り付けられたバッテリによって駆動する。電池取付部６には、図４に示すようなバッテリ１００が取り付けられる。図４に示すように、バッテリ１００は、二次電池を内臓する本体部１０１と本体部１０１から突出する電極凸部１０２とからなる。電極凸部１０２は、略立方体形状であり、先端部には、本体部１０１に内臓されている二次電池から電力を取り出すための一対の電極端子１０２ａ、１０２ｂが設けられている。
【００１９】
一方、真空ポンプ１の電池取付部６には、図５に示すように、バッテリ１００の電極凸部１０２が挿入され、挿入された電極凸部１０２と結合する電極凹部６ａが設けられている。電極凹部６ａの内部には、モータの端子につながる一対の電極端子６ｂ、６ｃが設けられている。バッテリ１００と電池取付部６とは、電極凸部１０２が電極凹部６ａに挿入され、図示しない保持機構により、電極凹部６ａの内部で電極凸部１０２が保持されることにより、図６に示すように着脱自在に接続される。電極凸部１０２及び電極凹部６ａは、電極凸部１０２が電極凹部６ａに挿入されると、電極端子１０２ａが電極端子６ｂに、電極端子１０２ｂが電極端子６ｃにそれぞれ接触するように構成されている。このように電極端子１０２ａ、１０２ｂ及び電極端子６ｂ、６ｃが接続されることにより、バッテリ１００からの電力が真空ポンプ１のモータに供給される。
【００２０】
以上に説明したように、本発明の真空ポンプ１は、商用電源を必要とせず、バッテリ１００によって駆動する。したがって、新築の建物などであって、商用電源が通じていない場所においても、エアーコンディショナーの冷媒の配管等の真空引き作業を行うことができる。また、エアーコンディショナーの取り付け業者等が一般家庭の家屋において真空引き作業を行う場合でも、商用電源を使うことにより電気料金がかかるという気兼ねを家屋の住人に対してする必要がない。さらに、商用電源を使用するための電源コードが存在しないので、電源コードが作業現場に這うということがなく、電源コードが作業の邪魔にならない。また、バッテリ１００は真空ポンプ１に対して着脱自在であるため、バッテリ１００の電力が切れた場合や、寿命が尽きた場合にも予備のバッテリ１００を使用することによって作業を継続することができる。
【００２１】
また、真空ポンプ１は、回転翼型油回転式のポンプ室１０を採用した回転翼型油回転真空ポンプであるため、小型化と、作業の高速化及び高効率化を両立することができる。
【００２２】
なお、本発明の実施の形態は上述の形態に限らず、本発明の技術的思想の範囲内で種々に変更してもよい。例えば、上述の実施の形態では、真空ポンプ１はバッテリ１００のみによって駆動することとしたが、商用電源によっても駆動可能としてもよい。このようにすれば、商用電源が通じている現場では、バッテリ１００の電力切れを心配することなく、商用電源を利用して長時間真空ポンプ１を駆動させることができる。この場合は、商用電源用の電源コードを真空ポンプ１に対して着脱自在にするとよい。また、真空ポンプ１は、乾電池によっても駆動するようにしてもよい。
【００２３】
また、上述の実施の形態においては、真空ポンプ１は、オイルを利用したロータリー式のロータリーポンプとしたが、本発明を適用する真空ポンプは、ロータリーポンプに限らず、油拡散ポンプ、ターボ分子ポンプ、イオンポンプなどであってもよい。
【００２４】
さらに、上述の実施の形態においては、電池取付部６を胴体部２の図面右側の端部に設ける構成としたが、電池取付部６の位置は胴体部２の端部に限られない。例えば、胴体部２の下部に設ける構成とすれば、電池取付部６に取り付けたバッテリ１００を台座４と兼用することができ、真空ポンプ１の小型化を実現することができる。
【００２５】
また、本発明の真空ポンプ１は、エアーコンディショナーの冷媒の配管の真空引きに限らず、その他の装置などを対象とした真空引きに利用することができる。
【産業上の利用可能性】
【００２６】
本発明は、エアーコンディショナーの冷媒の配管等の真空引きを行う真空ポンプに適用可能である。
【図面の簡単な説明】
【００２７】
【図１】本発明に係る真空ポンプ１の全体構成を示す説明図である。
【図２】ポンプ室の構成例及び動作原理を示す説明図である。
【図３】ポンプ室の構成例及び動作原理を示す説明図である。
【図４】真空ポンプ１に着脱自在に取り付けられるバッテリ１００の様子を示す説明図である。
【図５】バッテリ１００が着脱自在に取り付けられる電池取付部６の様子を示す説明図である。
【図６】真空ポンプ１にバッテリ１００が取り付けられた様子を示す説明図である。
【図７】従来の商用電源を利用する電源コードを備えた真空ポンプ２００の様子を示す説明図である。
【符号の説明】
【００２８】
１      真空ポンプ
２      胴体部
５      オイルタンク
６      電池取付部
１０    ポンプ室
１００  バッテリ
【図１】
2008180098.tif 000003
【図２】
2008180098.tif 000004
【図３】
2008180098.tif 000005
【図４】
2008180098.tif 000006
【図５】
2008180098.tif 000007
【図６】
2008180098.tif 000008
【図７】
2008180098.tif 000009